(57)【要約】【課題】  伝送装置の設定における作業員の負担を従来と比べて軽減することを目的とする。【解決手段】  ネットワークに設置された複数の伝送装置と、複数の伝送装置を制御する制御装置と、を有し、制御装置は、ネットワークに伝送装置が新設される場合、新設される伝送装置に対する設定処理を示す制御信号を生成する制御部と、新設される伝送装置に対して生成された制御信号を無線で送信する送信部と、を有し、伝送装置は、無線で送信された制御信号を受信する受信部を備え、新設される伝送装置は、受信した制御信号に基づいて設定を行う。【選択図】    図１
2015173383.tif 000002
【特許請求の範囲】
【請求項１】
ネットワークに設置された複数の伝送装置と、
前記複数の伝送装置を制御する制御装置と、を備え、
前記制御装置は、
前記ネットワークに伝送装置が新設される場合、新設される前記伝送装置に対する設定処理を示す制御信号を生成する制御部と、
新設される前記伝送装置に対して生成された前記制御信号を無線で送信する送信部と、を備え、
前記伝送装置は、無線で送信された前記制御信号を受信する受信部を備え、
新設される前記伝送装置は、受信した前記制御信号に基づいて設定を行う
ことを特徴とする制御システム。
【請求項２】
請求項１に記載の制御システムにおいて、
前記伝送装置は、前記制御信号に対する応答信号を前記制御装置に無線で送信する送信部を備え、
前記制御装置は、
前記制御信号を新設される前記伝送装置に送信した後、新設される前記伝送装置から前記応答信号を無線で受信する受信部と、
新設される前記伝送装置より前記所定の時間内に前記応答信号を受信しない場合、新設される前記伝送装置が前記制御信号の受信に失敗したと判定する判定部と、を備える
ことを特徴とする制御システム。
【請求項３】
ネットワークに設置された複数の伝送装置と、前記複数の伝送装置を制御する制御装置と、を備える制御システムにおける制御方法であって、
前記制御装置が、前記ネットワークに伝送装置が新設される場合、新設される前記伝送装置に対する設定処理を示す制御信号を生成し、
前記制御装置が、新設される前記伝送装置に対して生成した前記制御信号を無線で送信し、
新設される前記伝送装置が、受信した前記制御信号に基づいて設定を行う
ことを特徴とする制御システムの制御方法。
【発明の詳細な説明】
【技術分野】
【０００１】
本発明は、複数の伝送装置を制御する制御システムおよび制御システムの制御方法に関する。
【背景技術】
【０００２】
例えば、ネットワークに新設された伝送装置に対するＩＰ（Internet Protocol）アドレス等を設定する初期の設定処理において、作業員の作業の負担を軽減する技術が提案されている（特許文献１参照）。
【先行技術文献】
【特許文献】
【０００３】
【特許文献１】特開２００８−６５６０９号公報
【発明の概要】
【発明が解決しようとする課題】
【０００４】
しかしながら、従来技術では、作業員は、新設された伝送装置に対する設定処理の作業を示す指示書および設定されるパラメータの情報を電子メールで受けるが、伝送装置の設置場所まで赴任して設定の作業を行うため、設定の作業に時間がかかる。また、作業員は、新設された伝送装置ごとの指示書および設定されるパラメータについての理解が求められ、経験の浅い作業員には負担である。
【０００５】
本件開示の制御システムおよび制御システムの制御方法は、伝送装置の設定における作業員の負担を従来と比べて軽減することを目的とする。
【課題を解決するための手段】
【０００６】
一つの観点の制御システムは、ネットワークに設置された複数の伝送装置と、複数の伝送装置を制御する制御装置と、を有し、制御装置は、ネットワークに伝送装置が新設される場合、新設される伝送装置に対する設定処理を示す制御信号を生成する制御部と、新設される伝送装置に対して生成された制御信号を無線で送信する送信部と、を有し、伝送装置は、無線で送信された制御信号を受信する受信部を備え、新設される伝送装置は、受信した制御信号に基づいて設定を行う。
【０００７】
別の観点の制御システムの制御方法は、ネットワークに設置された複数の伝送装置と、複数の伝送装置を制御する制御装置と、を有する制御システムにおける制御方法であって、制御装置が、ネットワークに伝送装置が新設される場合、新設される伝送装置に対する設定処理を示す制御信号を生成し、制御装置が、新設される伝送装置に対して生成した制御信号を無線で送信し、新設される伝送装置が、受信した制御信号に基づいて設定を行う。
【発明の効果】
【０００８】
本件開示の制御システムおよび制御システムの制御方法は、伝送装置の設定における作業員の負担を従来と比べて軽減することができる。
【図面の簡単な説明】
【０００９】
【図１】制御システムの一実施形態を示す図である。
【図２】図１に示した制御部により生成された制御信号に含まれる新設される伝送装置に対する初期の設定処理を示す情報の例を示す図である。
【図３】図１に示した制御部が生成する初期の設定処理を示す制御信号の例を示す図である。
【図４】図１に示し制御システムにおける制御処理の例を示す図である。
【図５】制御システムの別実施形態を示す図である。
【図６】図５に示した制御システムにおける制御処理の例を示す図である。
【発明を実施するための形態】
【００１０】
以下、図面を用いて実施形態について説明する。
【００１１】
図１は、制御システムの一実施形態を示す。
【００１２】
図１に示す制御システム１００は、例えば、制御装置１０および５つの伝送装置２０（２０（１）−２０（５））を含む。制御装置１０は、キーボードやタッチパネル等の入力装置１３に接続される。また、制御装置１０と伝送装置２０（１）とは、有線または無線のネットワーク回線またはローカルな回線等の回線４０で接続される。伝送装置２０（１）−２０（５）の間は、例えば、光ファイバ等の伝送路４１を用いて接続され、リングネットワークを形成する。伝送装置３０は、伝送装置２０と同様の機能を有し、例えば、伝送装置２０（１）と伝送装置２０（２）との間の破線の矩形で示す位置に新たに設置される伝送装置である。なお、制御装置１０は、伝送装置２０（１）に接続されたが、伝送装置２０（２）−２０（５）のいずれかに接続されてもよい。また、伝送装置２０は、リングネットワークを形成するように接続されたが、直列に接続されてもよい。また、伝送装置２０は５つとしたが、２以上であってもよい。
【００１３】
制御装置１０は、例えば、ワークステーション等のコンピュータ装置であり、制御部１１および送信部１２を含む。
【００１４】
例えば、制御部１１は、制御装置１０に含まれるＥＥＰＲＯＭ（Electrically Erasable Programmable Read-Only Memory）等の記憶部に格納されるプログラムを実行するプロセッサを含む。制御部１１は、プロセッサがプログラムを実行することで、制御装置１０の各部の動作を統括的に制御する。例えば、制御部１１は、各伝送装置２０に対する制御指示を示す制御信号を生成する。また、制御部１１は、例えば、新たに伝送装置３０が設置される場合、伝送装置３０に対する初期の設定処理を示す制御信号を生成する。制御部１１の動作については、図２で説明する。
【００１５】
例えば、送信部１２は、制御部１１により生成された制御信号が新設された伝送装置３０に対するものである場合、制御信号を伝送装置３０に無線で送信する。これは、新設された伝送装置３０は、伝送路４１に設置された時点において、ＩＰアドレス等が設定されていないため、回線４０および伝送路４１を介して、制御装置１０との通信が困難なためである。一方、送信部１２は、回線４０および伝送路４１を介して、制御部１１により生成された各伝送装置２０に対する制御信号を、各伝送装置２０に送信する。送信部１２の動作については、図３で説明する。
【００１６】
例えば、伝送装置２０，３０は、伝送路４１を伝送するデータを隣接する伝送装置２０または伝送装置３０に中継する。また、伝送装置２０，３０は、伝送路４１を伝送するデータのうち、収容するルータ等のネットワーク機器あるいはコンピュータ装置宛のデータを抽出し、抽出したデータを収容するネットワーク機器あるいはコンピュータ装置に送信する。また、伝送装置２０，３０は、収容するネットワーク機器あるいはコンピュータ装置からのデータを受信し、受信したデータを伝送路４１に伝送する。
【００１７】
また、伝送装置３０は、受信部３１を含む。なお、伝送装置２０（１）−２０（５）についても、伝送装置３０と同様の要素を含み、詳細な説明は省略する。
【００１８】
例えば、受信部３１は、伝送装置３０が伝送路４１に新たに設置された場合、制御部１１により生成された制御信号を無線で受信する。そして、伝送装置３０が、受信した初期の設定処理を示す制御信号に基づいて設定を行った後、受信部３１は、回線４０および伝送路４１を介して制御装置１０からの制御信号あるいは伝送路４１を伝送するデータを受信する。
【００１９】
図２は、図１に示した制御部１１により生成された制御信号に含まれる新設される伝送装置３０に対する初期の設定処理を示す情報の例を示す。初期の設定処理を示す情報には、装置ＩＤ（Identification）、装置タイプ、装置名称、ＩＰアドレス、サブネットマスク、ＤＥＳＴ（Destination）  ＩＰおよびＤＥＳＴ  ＭＡＳＫを示す情報が含まれる。また、初期の設定処理を示す制御信号には、ＮＥＸＴ  ＨＯＰ、ログインユーザ名およびログインパスワードを示す情報が含まれる。なお、初期の設定処理を示す情報は、入力装置１３を介して、作業員により入力される。
【００２０】
装置ＩＤを示す情報には、例えば、送信部１２が、無線通信による制御信号の送信先である伝送装置３０を識別する数字または文字の列が含まれる。なお、制御装置１０と伝送装置３０との無線通信が、携帯電話網を介して行われる場合、装置ＩＤを示す情報には、伝送装置３０に割り当てられた電話番号が含まれてもよい。
【００２１】
装置タイプを示す情報には、伝送装置３０が有する機能を示す情報が含まれる。例えば、伝送装置３０が中継するデータの光信号を増幅させる機能を有する場合には、“In Line AMP（Amplifier）”が、装置タイプを示す情報に含まれる。
【００２２】
装置名称を示す情報には、伝送装置３０に対して与えられる“ＡＢＣ０１”等の英字および数字の文字列で表された名称が含まれる。
【００２３】
ＩＰアドレスを示す情報には、伝送装置３０に割り当てられる“１９２．１６８．１．２”等のＩＰアドレスが含まれる。
【００２４】
サブネットマスクを示す情報には、伝送装置３０に割り当てられる“２５５．２５５．２５５．０”が含まれる。
【００２５】
ＤＥＳＴ  ＩＰを示す情報には、リングネットワークのルーティングにおいて送信先となる伝送装置２０のＩＰアドレスが含まれる。なお、伝送装置２０がリングネットワーク状に接続されていない場合、ＤＥＳＴ  ＩＰを示す情報は省略されてもよい。あるいは、初期の設定において、ＤＥＳＴ  ＩＰを示す情報は、例えば、空欄または“０．０．０．０”等が含まれてもよい。そして、初期の設定が終了した後、制御装置１０が、回線４０および伝送路４１を介して、伝送装置３０におけるＤＥＳＴ  ＩＰを示す情報を設定してもよい。
【００２６】
ＤＥＳＴ  ＭＡＳＫを示す情報には、リングネットワークのルーティングにおいて送信先となる伝送装置２０に割り当てられるサブネットマスクが含まれる。なお、伝送装置２０がリングネットワーク状に接続されていない場合、ＤＥＳＴ  ＭＡＳＫを示す情報は省略されてもよい。あるいは、初期の設定において、例えば、ＤＥＳＴ  ＭＡＳＫを示す情報は、空欄または“０．０．０．０”等が含まれてもよい。そして、初期の設定が終了した後、制御装置１０が、回線４０および伝送路４１を介して、伝送装置３０におけるＤＥＳＴ  ＭＡＳＫを示す情報を設定してもよい。
【００２７】
ＮＥＸＴ  ＨＯＰを示す情報には、伝送装置３０が伝送するデータの次の転送先のルータで、伝送するデータの宛先のネットワークまでのルーティングを示す情報を有するルータの“１９２．１６８．１．１”等のＩＰアドレスが含まれる。
【００２８】
ログインユーザ名を示す情報には、伝送装置３０にログインできるユーザを示す“ｕｓｅｒ０１”等のユーザ名が含まれる。
【００２９】
ログインパスワードを示す情報には、ログインユーザ名を示す情報に含まれるユーザが伝送装置３０にログインするための英字および数字を含む文字列である“ｘｙｚ１２３４”等のパスワードが含まれる。
【００３０】
なお、初期の設定処理を示す情報は、入力装置１３を介して、作業員により入力されるとしたが、制御装置１０に含まれるＥＥＰＲＯＭ等の記憶部に割り当てられた格納領域に、新設される伝送装置３０ごとに予め格納されてもよい。また、初期の設定処理を示す情報には、装置ＩＤあるいはＩＰアドレス等を示す情報以外の情報が、伝送装置３０の仕様あるいは配置される環境等に応じて含まれてもよい。
【００３１】
図３は、図１に示した制御部１１が生成する初期の設定処理を示す制御信号の例を示す。制御部１１が生成する初期の設定処理を示す制御信号は、例えば、ＩＰフレーム５０である。ＩＰフレーム５０は、例えば、プリアンブル６０、ＤＡ（Destination Address）６１、ＳＡ（Source Address）６２、ＤＡＴＡ６３およびＦＣＳ（Frame Check Sequence）６４の格納領域を有する。
【００３２】
プリアンブル６０の格納領域には、ＩＰフレーム５０の開始を示す所定のパターンのビット列が格納される。
【００３３】
ＤＡ６１の格納領域には、ＩＰフレーム５０の宛先である伝送装置３０の図２に示した装置ＩＤを示す情報が格納される。
【００３４】
ＳＡ６２の格納領域には、データの送信元である制御装置１０のＭＡＣ（Media Access Control）アドレスが格納される。
【００３５】
ＤＡＴＡ６３の格納領域には、図２に示した初期の設定処理を示す情報が格納される。
【００３６】
ＦＣＳ６４の格納領域には、ＩＰフレーム５０が伝送装置３０に受信される無線の伝送中に生じたデータの誤り検出および訂正を行うための符号が格納される。
【００３７】
例えば、制御部１１は、入力装置１３を介して、作業員により入力される伝送装置３０の装置ＩＤ、装置タイプ、装置名称、ＩＰアドレス、サブネットマスク、ＤＥＳＴ  ＩＰおよびＤＥＳＴ  ＭＡＳＫを示す情報を、初期の設定処理を示す情報として受ける。また、制御部１１は、入力装置１３を介して、作業員により入力される伝送装置３０におけるＮＥＸＴ  ＨＯＰ、ログインユーザ名およびログインパスワードを示す情報を、初期の設定処理を示す情報として受ける。制御部１１は、受けた初期の設定処理を示す情報をＤＡＴＡ６３の格納領域に格納したＩＰフレーム５０を生成する。制御部１１は、生成したＩＰフレーム５０を送信部１２に出力し、送信部１２は、受けたＩＰフレーム５０を伝送装置３０に対して無線で送信する。
【００３８】
図４は、図１に示した制御システム１００における制御処理の例を示す。ステップＳ１０およびステップＳ１１の動作は、制御部１１が制御プログラムを実行することにより実現される。また、ステップＳ２０およびステップＳ２１の動作は、新たに設置される伝送装置３０に含まれるプロセッサ等の制御部がプログラムを実行することにより実現される。すなわち、図４は、制御システム１００の制御方法の一実施形態を示す。なお、図４に示す処理は、制御装置１０および伝送装置３０に搭載されるハードウェアにより実行されてもよい。この場合、図１に示した制御部１１および送信部１２は、制御装置１０内に配置される回路により実現される。また、図１に示した受信部３１は、伝送装置３０内に配置される回路により実現される。
【００３９】
ステップＳ１０において、制御部１１は、図１から図３において説明したように、入力装置１３を介して、作業員から新設された伝送装置３０に対する初期の設定処理を示す情報を受け、受けた情報を含むＩＰフレーム５０を生成する。
【００４０】
次に、ステップＳ１１において、送信部１２は、制御部１１により生成されたＩＰフレーム５０を、伝送装置３０に対して無線で送信する。
【００４１】
一方、ステップＳ２０において、伝送装置３０の受信部３１は、図１において説明したように、制御装置１０により無線で送信されたＩＰフレーム５０を受信する。
【００４２】
次に、ステップＳ２１において、伝送装置３０は、図１から図３で説明したように、ＩＰフレーム５０のＤＡＴＡ６３の格納領域に格納された初期の設定処理を示す情報に基づいて設定を行う。例えば、伝送装置３０は、ＤＡＴＡ６３の格納領域に格納された装置ＩＤ、装置タイプ、装置名称、ＩＰアドレス、サブネットマスク、ＤＥＳＴ  ＩＰ、ＤＥＳＴ  ＭＡＳＫ、ＮＥＸＴ  ＨＯＰ、ログインユーザ名およびログインパスワードを示す情報を取得する。伝送装置３０は、取得した各情報をＥＥＰＲＯＭ等の記憶部に予め割り当てられた格納領域に格納し、回線４０および伝送路４１を介して制御装置１０から制御を受けるための初期の設定を行う。
【００４３】
そして、制御システム１００は、制御処理を終了する。その後、制御装置１０は、回線４０および伝送路４１を介して、伝送装置３０を制御し、ＤＥＳＴ  ＩＰ、ＤＥＳＴ  ＭＡＳＫおよびＮＥＸＴ  ＨＯＰ等の設定を行う。なお、図４に示したフローは、伝送装置３０が伝送路４１に新たに設置される度に実行される。
【００４４】
以上、この実施形態では、制御部１１は、新たに伝送装置３０が伝送路４１に設置される場合、新設される伝送装置３０に対する初期の設定処理を示す情報を含むＩＰフレーム５０を生成する。送信部１２は、生成したＩＰフレーム５０を伝送装置３０に無線で送信する。伝送装置３０は、受信したＩＰフレーム５０に含まれる情報に基づいて設定処理を行う。これにより、作業員が初期の設定のために伝送装置３０に赴任する工程を省略することができ、従来と比べて作業員の負担を軽減することができ、作業時間を短縮することができる。
【００４５】
また、伝送装置３０は、受信したＩＰフレーム５０に含まれる初期の設定処理を示す情報に基づいて設定するため、作業員は、設定処理を示す指示書がなくても作業を行うことができ、作業員の負担を従来と比べてより軽減することができる。
【００４６】
また、作業員は、制御システム１００における動作状態および新たに設置される伝送装置３０の仕様を確認しながら、入力装置１３を介して、伝送装置３０に対する初期の設定処理を示す情報を入力するため、作業ミスを防止することができる。
【００４７】
図５は、制御システムの別実施形態を示す。図５に示す制御システム１００の各要素において、図１に示した制御システム１００の要素と同一または同様の機能を有するものについては、同一の符号を付し、詳細な説明は省略する。
【００４８】
制御システム１００は、例えば、制御装置１０ａ、５つの伝送装置２０ａ（２０ａ（１）−２０ａ（５））を含む。制御装置１０ａは、入力装置１３に接続される。また、制御装置１０ａと伝送装置２０ａ（１）とは、有線または無線のネットワーク回線またはローカルな回線等の回線４０で接続される。伝送装置２０ａ（１）−２０ａ（５）の間は、例えば、光ファイバ等の伝送路４１を用いて接続され、リングネットワークを形成する。伝送装置３０ａは、伝送装置２０ａと同様の機能を有し、例えば、伝送装置２０ａ（１）と伝送装置２０ａ（２）との間の破線の矩形で示す位置に新たに設置される伝送装置である。なお、制御装置１０ａは、伝送装置２０ａ（１）に接続されたが、伝送装置２０ａ（２）−２０ａ（５）のいずれかに接続されてもよい。また、伝送装置２０ａは、リングネットワークを形成するように接続されたが、直列に接続されてもよい。また、伝送装置２０ａは５つとしたが、２以上であってもよい。
【００４９】
制御装置１０ａは、例えば、ワークステーション等のコンピュータ装置であり、制御部１１ａ、送信部１２ａおよび受信部１４を含む。また、制御装置１０ａは、ディスプレイまたはプリンタ等の出力装置を含む。
【００５０】
例えば、制御部１１ａは、制御装置１０ａに含まれるＥＥＰＲＯＭ等の記憶部に格納されるプログラムを実行するプロセッサを含む。制御部１１ａは、プロセッサがプログラムを実行することで、制御装置１０ａの各部の動作を統括的に制御する。例えば、制御部１１ａは、図１に示した制御部１１と同様に、各伝送装置２０ａ対する制御指示を示す制御信号を生成するとともに、新たに伝送装置３０ａが設置される場合、新設された伝送装置３０ａに対する初期の設定処理を示す情報を含むＩＰフレーム５０を生成する。
【００５１】
例えば、送信部１２ａは、制御部１１ａにより生成された制御信号が新設された伝送装置３０ａに対するものである場合、ＰＨＳ（Personal Handy-phone System）網７０を介して、制御信号を伝送装置３０ａに無線で送信する。また、送信部１２ａは、回線４０および伝送路４１を介して、制御部１１ａにより生成された各伝送装置２０ａに対する制御信号を、各伝送装置２０ａに送信する。なお、送信部１２ａがＰＨＳ網７０を介して制御信号を新設された伝送装置３０ａに送信するために、予めＰＨＳ網７０用の電話番号が取得される。取得した電話番号は、制御装置１０ａに含まれる記憶部に割り当てられた格納領域に格納されるとともに、新設される伝送装置３０ａに設定される。また、送信部１２ａは、ＰＨＳ網７０を介して、制御信号を伝送装置３０ａに送信したが、他の通信規格の携帯電話網を用いてもよい。
【００５２】
受信部１４は、制御信号を新設された伝送装置３０ａに送信した後、ＰＨＳ網７０を介して、伝送装置３０ａから制御信号に対する応答信号を無線で受信する。また、受信部１４は、回線４０および伝送路４１を介して、各伝送装置２０ａから信号を受信する。
【００５３】
例えば、制御部１１ａは、プロセッサがプログラムを実行することで、判定部１５として動作する。例えば、判定部１５は、新設された伝送装置３０ａに制御信号を送信した後、５分等の所定の時間内に応答信号を受信した場合、制御信号が伝送装置３０ａにより正常に受信されたと判定する。また、判定部１５は、所定の時間内に応答信号を受信しない場合、制御信号が伝送装置３０ａにより正常に受信されなかったと判定する。なお、所定の時間は、制御装置１０ａと伝送装置３０ａとの間の送信にかかる時間および伝送装置３０ａにおける設定にかかる時間等に応じて決定される。
【００５４】
例えば、伝送装置３０ａは、受信部３１ａ、送信部３２、制御部３３および記憶部３４を含む。なお、伝送装置２０ａ（１）−２０ａ（５）についても、伝送装置３０ａと同様の要素を含み、詳細な説明は省略する。
【００５５】
例えば、受信部３１ａは、伝送装置３０ａが伝送路４１に新たに設置された場合、制御部１１ａにより生成された制御信号を、ＰＨＳ網７０を介して受信する。そして、伝送装置３０ａが、受信した制御信号に基づいて初期の設定を行った後、受信部３１ａは、回線４０および伝送路４１を介して、制御装置１０ａからの制御信号あるいは伝送路４１を伝送するデータを受信する。受信部３１ａは、受信した制御信号およびデータを制御部３３に出力する。
【００５６】
送信部３２は、伝送装置３０ａが伝送路４１に新たに設置された場合、ＰＨＳ網７０を介して、受信した初期の設定処理を示す制御信号に対する応答信号を制御装置１０ａに送信する。また、伝送装置３０ａが、受信した制御信号に基づいて初期の設定を行った後、送信部３２は、伝送路４１を伝送するデータを隣接する伝送装置２０ａに中継する。また、送信部３２は、回線４０および伝送路４１を介して、制御装置１０ａからの制御信号に対する応答信号を送信する。
【００５７】
制御部３３は、伝送装置３０ａに含まれるＥＥＰＲＯＭ等の記憶部３４に格納されるプログラムを実行するプロセッサを含む。制御部３３は、プロセッサがプログラムを実行することで、伝送装置３０ａの各部の動作を統括的に制御する。例えば、制御部３３は、伝送装置３０ａが伝送路４１に新たに設置され、制御装置１０ａより初期の設定処理を示す制御信号を受信した場合、制御信号の受信を示す応答信号を生成する。制御部３３は、生成した応答信号を送信部３２に出力する。なお、応答信号は、制御信号の受信を示す情報がＤＡＴＡ６３の格納領域に格納されたＩＰフレーム５０である。
【００５８】
制御部３３は、生成した応答信号を送信部３２に出力する。一方、制御部３３は、受信した制御信号に含まれる情報に基づいて初期の設定を行う。例えば、制御部３３は、制御信号である図３に示したＩＰフレーム５０に含まれる装置ＩＤ、装置タイプ、装置名称、ＩＰアドレス、サブネットマスク、ＤＥＳＴ  ＩＰおよびＤＥＳＴ  ＭＡＳＫを示す情報を取得する。また、制御部３３は、ＩＰフレーム５０に含まれるＮＥＸＴ  ＨＯＰ、ログインユーザ名およびログインパスワードを示す情報を取得する。制御部３３は、取得した各情報を記憶部３４に予め割り当てられた格納領域に格納し、回線４０および伝送路４１を介して制御装置１０ａから制御を受けるための初期の設定を行う。
【００５９】
例えば、制御部３３は、初期の設定が正常に終了した場合、正常に終了したことを示す“０”等の値をＤＡＴＡ６３の格納領域に格納したＩＰフレーム５０を生成する。一方、制御部３３は、処理が正常に終了しなかった場合、処理が異常終了したことを示す“１”等の値とともに、異常終了した処理の箇所を示す情報をＤＡＴＡ６３の格納領域に格納したＩＰフレーム５０を生成する。制御部３３は、生成したＩＰフレーム５０を送信部３２に出力する。そして、送信部３２は、ＰＨＳ網７０を介して、ＩＰフレーム５０を制御装置１０ａに送信する。
【００６０】
例えば、制御部３３は、伝送装置３０ａに対する初期の設定が行われた後、伝送路４１を介して、受信部３１ａにより受信された伝送するデータのうち、伝送装置３０ａ宛のデータを抽出する。制御部３３は、抽出した伝送装置３０ａ宛のデータを、伝送装置３０ａが収容するネットワーク機器あるいはコンピュータ装置宛のデータを抽出し、抽出したデータを収容するネットワーク機器あるいはコンピュータ装置に出力する。一方、制御部３３は、受信したデータが伝送装置３０ａ宛でない場合、隣接する伝送装置２０ａにデータを伝送するために、受信したデータを送信部３２に出力する。また、制御部３３は、伝送装置３０ａが収容するネットワーク機器あるいはコンピュータ装置から受けたデータを、伝送路４１に伝送するために送信部３２に出力する。
【００６１】
例えば、記憶部３４は、ＥＥＰＲＯＭ等のメモリであり、プロセッサ等を含む制御部３３が実行するプログラムを格納する格納領域を有する。また、記憶部３４は、制御部３３により設定された装置ＩＤ、装置タイプ、装置名称、ＩＰアドレス、サブネットマスク、ＤＥＳＴ  ＩＰ、ＤＥＳＴ  ＭＡＳＫ、ＮＥＸＴ  ＨＯＰ、ログインユーザ名およびログインパスワードを格納する格納領域を有する。
【００６２】
図６は、図５に示した制御システム１００における制御処理の例を示す。図６に示すステップＳ１００、ステップＳ１１０、ステップＳ１２０、ステップＳ１３０およびステップＳ１４０の動作は、制御装置１０ａの制御部１１ａがプログラムを実行することにより実現される。また、ステップＳ２００、ステップＳ２１０、ステップＳ２２０、ステップＳ２３０、ステップＳ２４０およびステップＳ２５０の動作は、制御部３３がプログラムを実行することにより実現される。すなわち、図６は、制御システムの制御方法の別実施形態を示す。なお、図６に示す処理は、制御装置１０ａおよび伝送装置３０ａに搭載されるハードウェアにより実行されてもよい。この場合、図５に示した制御部１１ａ、送信部１２ａ、受信部１４および判定部１５は制御装置１０ａ内に配置される回路により実現される。また、図５に示した受信部３１ａ、送信部３２および制御部３３は伝送装置３０ａ内に配置される回路により実現される。
【００６３】
ステップＳ１００において、制御部１１ａは、図２、図３および図５において説明したように、入力装置１３を介して、作業員から新設された伝送装置３０ａに対する初期の設定処理を示す情報を受け、受けた情報を含むＩＰフレーム５０を生成する。
【００６４】
次に、ステップＳ１１０において、送信部１２ａは、図５において説明したように、ＰＨＳ網７０を介して、制御部１１ａにより生成されたＩＰフレーム５０を伝送装置３０ａに送信する。
【００６５】
次に、ステップＳ１２０において、判定部１５は、受信部１４が、ＰＨＳ網７０を介して、ステップＳ１１０で送信した制御信号のＩＰフレーム５０に対する応答信号を所定の時間内に伝送装置３０ａから受信したか否かを判定する。例えば、判定部１５は、５分等の所定の時間内に伝送装置３０ａから応答信号を受信した場合（ＹＥＳ）、ＩＰフレーム５０が伝送装置３０ａにより正常に受信されたと判定し、処理をステップＳ１３０に移行する。一方、判定部１５は、５分等の所定の時間内に応答信号を受信しない場合（ＮＯ）、ＩＰフレーム５０が伝送装置３０ａにより正常に受信されなかったと判定する。そして、判定部１５は、再度ＩＰフレーム５０を伝送装置３０ａに送信するために、処理をステップＳ１１０に移行する。
【００６６】
ステップＳ１３０において、受信部１３は、図５において説明したように、新設された伝送装置３０ａに対する初期の設定処理の結果を示すＩＰフレーム５０を、ＰＨＳ網７０を介して伝送装置３０ａから受信する。
【００６７】
次に、ステップＳ１４０において、判定部１５は、ステップＳ１３０で受信したＩＰフレーム５０に含まれる結果を示す情報に基づいて、伝送装置３０ａにおいて初期の設定が正常に終了したか否かを判定する。判定部１５は、ＩＰフレーム５０のＤＡＴＡ６３の格納領域に“０”等の値が格納される場合（ＹＥＳ）、初期の設定が正常に終了したと判定し、処理を終了する。一方、判定部１５は、ＤＡＴＡ６３の格納領域に“１”等の値が格納されていた場合（ＮＯ）、初期の設定が異常終了したと判定する。制御部１１ａは、ＩＰフレーム５０のＤＡＴＡ６３の格納領域に格納される異常終了した処理の箇所を示す情報を、出力装置に表示する。制御部１１ａは、入力装置１３を介して、表示された情報に基づいて、新設された伝送装置３０ａに対する新たな初期の設定処理を示す情報を作業員より受けるために、処理をステップＳ１００に移行する。
【００６８】
一方、ステップＳ２００において、伝送装置３０ａの受信部３１ａは、図５において説明したように、ＰＨＳ網７０を介して、制御装置１０ａにより送信されたＩＰフレーム５０を受信する。受信部３１ａは、受信したＩＰフレーム５０を制御部３３に出力する。
【００６９】
次に、ステップＳ２１０において、制御部３３は、図５において説明したように、ＩＰフレーム５０を受信したことを示す応答信号を生成し、生成された応答信号を送信部３２に出力する。
【００７０】
次に、ステップＳ２２０において、送信部３２は、図５において説明したように、ＰＨＳ網７０を介して、応答信号を無線で制御装置１０ａに送信する。
【００７１】
次に、ステップＳ２３０において、制御部３３は、図２、図３および図５において説明したように、ＩＰフレーム５０のＤＡＴＡ６３の格納領域に格納された初期の設定処理を示す情報に基づいて設定を行う。例えば、制御部３３は、ＤＡＴＡ６３の格納領域に格納された装置ＩＤ、装置タイプ、装置名称、ＩＰアドレス、サブネットマスク、ＤＥＳＴ  ＩＰ、ＤＥＳＴ  ＭＡＳＫ、ＮＥＸＴ  ＨＯＰ、ログインユーザ名およびログインパスワードを示す情報を取得する。制御部３３は、取得した各情報を記憶部３４に予め割り当てられた格納領域に格納し、回線４０および伝送路４１を介して制御装置１０ａから制御を受けるための初期の設定を行う。
【００７２】
次に、ステップＳ２４０において、制御部３３は、図５において説明したように、初期の設定処理の結果をＤＡＴＡ６３の格納領域に格納したＩＰフレーム５０を生成する。例えば、制御部３３は、初期の設定が正常に終了した場合、正常に終了したことを示す“０”等の値をＤＡＴＡ６３の格納領域に格納したＩＰフレーム５０を生成する。一方、制御部３３は、処理が正常に終了しなかった場合、処理が異常終了したことを示す“１”等の値とともに、異常終了した処理の箇所を示す情報をＤＡＴＡ６３の格納領域に格納したＩＰフレーム５０を生成する。制御部３３は、生成したＩＰフレーム５０を送信部３２に出力する。
【００７３】
次に、ステップＳ２５０において、送信部３２は、図５において説明したように、ＰＨＳ網７０を介して、ステップＳ２４０で生成されたＩＰフレーム５０を制御装置１０ａに送信する。
【００７４】
そして、制御システム１００は、制御処理を終了する。その後、制御装置１０ａは、回線４０および伝送路４１を介して、伝送装置３０ａを制御し、ＤＥＳＴ  ＩＰ、ＤＥＳＴ  ＭＡＳＫおよびＮＥＸＴ  ＨＯＰ等の設定を行う。なお、図６に示したフローは、伝送装置３０ａが伝送路４１に新たに設置される度に実行される。
【００７５】
以上、この実施形態では、制御部１１ａは、新たに伝送装置３０ａが伝送路４１に設置される場合、新設される伝送装置３０ａに対する初期の設定処理を示す情報を含むＩＰフレーム５０を生成する。送信部１２ａは、ＰＨＳ網７０を介して、生成されたＩＰフレーム５０を伝送装置３０ａに送信する。伝送装置３０ａは、受信したＩＰフレーム５０に含まれる情報に基づいて設定処理を行う。これにより、作業員が初期設定のために伝送装置３０ａに赴任する工程を省略することができ、従来と比べて作業員の負担を軽減することができ、作業時間を短縮することができる。
【００７６】
また、伝送装置３０ａは、受信したＩＰフレーム５０に含まれる初期の設定処理を示す情報に基づいて設定するため、作業員は、設定処理を示す指示書がなくても作業を行うことができ、作業員の負担を従来と比べてより軽減することができる。
【００７７】
また、作業員は、制御システム１００における動作状態および新たに設置される伝送装置３０ａの仕様を確認しながら、入力装置１３を介して、伝送装置３０ａに対する初期の設定処理を示す情報を入力するため、作業ミスを防止することができる。
【００７８】
なお、制御システム１００は、伝送装置３０ａが伝送路４１に新設される度に、図６に示したフローを実行するとしたが、これに限定されない。例えば、ステップＳ１００において、制御装置１０ａの制御部１１ａは、入力装置１３を介して、作業員から伝送装置３０ａごとに対する初期の設定処理を示す情報を受け、受けた情報を含むＩＰフレーム５０を伝送装置３０ａごとに生成する。ステップＳ１１０において、送信部１２ａは、制御部１１ａにより生成されたＩＰフレーム５０を、ＰＨＳ網７０を介して伝送装置３０ａそれぞれに送信する。そして、制御装置１０ａは、ステップＳ１２０からステップＳ１４０の動作を伝送装置３０ａごとに並行して行う。また、新設される各伝送装置３０ａは、ステップＳ２００からステップＳ２５０の動作を並行して実行する。
【００７９】
なお、送信部３２は、ステップＳ２４０で生成された初期の設定の結果を含むＩＰフレーム５０を、ＰＨＳ網７０を介して制御装置１０ａに送信したが、これに限定されない。例えば、伝送装置３０ａが伝送路４１に物理的に接続されている場合、送信部３２は色の設定の結果を含むＩＰフレーム５０を、回線４０および伝送路４１を介して制御装置１０ａに送信してもよい。
【００８０】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００８１】
１０，１０ａ…制御装置；１１，１１ａ，３３…制御部；１２，１２ａ，３２…送信部；１３…入力装置；１４，３２，３２ａ…受信部；１５…判定部；２０（１）−２０（５），２０ａ（１）−２０ａ（５），３０，３０ａ…伝送装置；４０…回線；４１…伝送路；５０…ＩＰフレーム；６０…プリアンブル；６１…ＤＡ；６２…ＳＡ；６３…ＤＡＴＡ；６４…ＦＣＳ；７０…ＰＨＳ網；１００…制御システム
【図１】
2015173383.tif 000003
【図２】
2015173383.tif 000004
【図３】
2015173383.tif 000005
【図４】
2015173383.tif 000006
【図５】
2015173383.tif 000007
【図６】
2015173383.tif 000008